(57)【要約】【課題】継ぎ合わせを確実にして継合状態の信頼性を向上させると共に、雄側竿杆の継合部表面への傷付きを極力防止する。【解決手段】繊維強化合成樹脂製竿杆同士の並継又は逆並継の継合構造であって、雌側竿杆の継合部１０Ｔ内面が雄側竿杆継合部１２Ｔ外周に前後方向の２箇所Ｐ１，Ｐ２で当接し、その他の領域は隙間を有しており、雌側竿杆端部１０Ｅに近い方の当接部Ｐ１は、その端部に向かって拡径する拡径部１０Ｔ１に連続しており、該当接部Ｐ１は中心方向に凸の滑らかな曲面に形成されており、雌側竿杆継合部１０Ｔの最内層は、該雌側竿杆のマトリックス樹脂の層であることを特徴とする継合構造を有するよう構成する。【選択図】        図２
2004254546.tif 000002
【特許請求の範囲】
【請求項１】
繊維強化合成樹脂製竿杆同士の並継又は逆並継の継合構造であって、
雌側竿杆の継合部内面が雄側竿杆継合部外周に前後方向の２箇所で当接し、その他の領域は隙間を有しており
雌側竿杆端部に近い方の当接部は、その端部に向かって拡径する拡径部に連続しており、該当接部は中心方向に凸の滑らかな曲面に形成されており、
雌側竿杆継合部の最内層は、該雌側竿杆のマトリックス樹脂の層である
ことを特徴とする継合構造を有する釣竿。
【請求項２】
前記拡径部は継合部長さの約１５パーセント以下の長さである請求項１記載の釣竿。
【発明の詳細な説明】
【０００１】
【発明の属する技術分野】
本発明は、並継又は逆並継式の継合構造に特徴を有する釣竿に関する。
【０００２】
【従来の技術】
継ぎ合わせ操作が容易で、継合状態に信頼性を持たせるために、雄側竿杆と雌側竿杆とを前端と後端の前後２箇所において押圧当接させ、それらの間に隙間を設けた並継式継合構造が、本出願人による下記特許文献１に開示されている。
【特許文献１】
特開平１０−２９０６４８号公報
【０００３】
【発明が解決しようとする課題】
然しながら、前後２箇所とは言っても、実際の各部位では、或る程度の広さの幅を有する帯状の環状部位での押圧となり、従来の継合形態よりは継合状態に信頼性があるが、改善の余地がある。また、竿杆先端部は、機械的に切断されて形成されるため、その端面には強化繊維が露出している。強化繊維はマトリックス樹脂に比べれば相当に硬い。例えば、炭素繊維では鉛筆硬度が８Ｈ〜９Ｈ程度であり、エポキシ樹脂のそれＨ〜２Ｈよりも相当に硬い。こうした繊維強化樹脂製雌側竿杆の露出端面の内面側縁部が、継ぎ合わせ時や仕舞い時に、雄側竿杆の継合部外周を強く擦るため、雄側竿杆の継合部表面に傷が付く。継合部と言えども外部から見える傷は釣竿の商品価値を著しく低下させる。
依って本発明は、継ぎ合わせを確実にして継合状態の信頼性を向上させると共に、雄側竿杆の継合部表面への傷付きを極力防止することを目的とする。
【０００４】
【課題を解決するための手段】
上記目的に鑑みて請求項１では、繊維強化合成樹脂製竿杆同士の並継又は逆並継の継合構造であって、雌側竿杆の継合部内面が雄側竿杆継合部外周に前後方向の２箇所で当接し、その他の領域は隙間を有しており、雌側竿杆端部に近い方の当接部は、その端部に向かって拡径する拡径部に連続しており、該当接部は中心方向に凸の滑らかな曲面に形成されており、雌側竿杆継合部の最内層は、該雌側竿杆のマトリックス樹脂の層であることを特徴とする継合構造を有する釣竿を提供する。
【０００５】
前後２箇所でのみ押圧保持する形態は、継合部全体で押圧する方式に比べれば挿入が容易な上に、各部位での押圧が確かであり、信頼性が高い。しかも、雌側竿杆の端部には拡径部を有しているため、雄側竿杆を挿入させる際にガイドの役割を成し、継ぎ合わせの初期操作が容易になる。雌側竿杆の端部に近い方の当接部は中心方向に凸の滑らかな曲面に形成されているため、雄側竿杆の継合部表面を押圧するのは、前後方向幅の無い（非常に小さな）点（全周では線）となり、或る程度の幅面を有する当接部の場合と比べて、雄側竿杆の押圧保持が更に確実となる。更には、雌側竿杆継合部の最内層がマトリックス樹脂の層であるため、２箇所の当接部もマトリックし樹脂で覆われており、端部に近い方の前記当接部が滑らかな曲面であることと合わせて、雄側竿杆表面に対して傷を付け難い。
【０００６】
請求項２では、前記拡径部は継合部長さの約１５パーセント以下の長さである請求項１記載の釣竿を提供する。
雌側竿杆を雄側竿杆に套嵌させるべく押し込んだ場合に、端部側の当接部位が（僅かに）拡径しようとするが、これに連続した拡径部は上記範囲の短い長さであるため、当接部が拡径する際に、前記拡径部の存在は大きな障害とならず、当接部の（僅かな）弾性拡径が可能となる。従って、拡径によって該当接部の押圧力が増し、継合状態に信頼性が増す。
【０００７】
【発明の実施の形態】
以下、本発明を添付図面に示す実施形態例に基づき、更に詳細に説明する。
図１は本発明に係る並継式釣竿の並継式継合部を継ぎ合わせ中の縦断面図である。前後の竿管１０，１２は、エポキシ樹脂等のマトリックス樹脂を炭素繊維等の強化繊維で強化した繊維強化樹脂製である。ここでは後側竿管１０が雌側竿杆であり、前側竿管１２が雄側竿杆である。前側竿管１２の、後方に縮径するテーパ状の後部継合部１２Ｔを、後側竿管１０の、主として前方に拡径するテーパ状内面を有する前部継合部１０Ｔに挿入させて継ぎ合わせる。
【０００８】
図２は、継ぎ合わせを完了した継合部の拡大図であり、図３はその継合部の前側部の拡大図である。一点鎖線ＣＬは釣竿の中心線であり、継合部１２Ｔの外周面は円錐状であり、この例での軸長方向の長さに対する直径の変化率（テーパ率）は２．５／１０００である。一方、継合部１０Ｔは、端部１０Ｅに近い側から順次、第１部１０Ｔ１、第２部１０Ｔ２、第３部１０Ｔ３を有している。この例での第１部１０Ｔ１内周面のテーパ率は５／１０００、第２部１０Ｔ２は０．０／１０００であってストレート、第３部１０Ｔ３は３／１０００である。外周面のテーパ率も各内面と同程度であり、略均一肉厚に形成している。
【０００９】
このため、前側竿管１２の端部１２Ｅの位置の内外面対向部（Ｐ２の部位）と、第１部と第２部との交点の内外面対向部（Ｐ１の部位）とで当接し合い、他の領域は互いに隙間を有している。継合部領域の長さＬ１は４０〜１００ｍｍ程度であり、第１部の長さＬ２は５〜１０ｍｍ程度である。長さＬ１に対する長さＬ２の割合は１５％程度以下が好ましい。後側竿管１０の前側の内面当接部Ｐ１は、図４に拡大図示するように、縦断面において、中心側に凸な滑らかな曲線形状であるため、継合部１２Ｔ外周との当接領域は殆ど幅の無いといえる点状（全周では線状）である。一方、後側当接部Ｐ２は、僅かにテーパ率の異なる平面同士の当接であるため、現実的には或る程度の幅を有する当接部となる。
【００１０】
従って、前側竿管は前後２箇所で支持されるため、釣り使用中において鳴きやガタが生じることは防止できる。また、前側の当接部Ｐ１が線状部位であるため、確実に当接押圧でき、継ぎ合わせ状態の信頼性が向上する。
継ぎ合わせに際して、前後竿管を互いに挿入しつつ最後は強く押し込むが、この最後の押し込みにおいて、当接部Ｐ１は部材の弾性によって僅かに拡径されようとし、その拡径を可能にすれば、継ぎ合わせの信頼性がより確かな状態になる。この場合、後側竿管の前側当接部Ｐ１に連続した前側の第１部１０Ｔ１は、端部１０Ｅに向かって拡径した拡径部であって、既述の如く短い。従って、当接部Ｐ１が僅かに拡径する場合の邪魔になり難く、弾性拡径がなされて継合の信頼性がより確かになる。
【００１１】
各竿管１０，１２は、共に、芯金（図示せず）にプリプレグを巻回して加熱成形し、後から芯金を抜き去った竿管素材の、その長さを適宜に切断し、外周面を適宜後加工したり、塗装したりして形成したものであるが、内周面は竿管素材のままである。従って、継合部１０Ｔの内周面には加熱成形時のマトリックス樹脂が覆っており、当接部Ｐ１，Ｐ２にもこれが覆っている。従って、当接部は硬くはなく、圧入しても、前側竿管の継合部１２Ｔの外周面を傷付け難い。
【００１２】
図５は前側竿管の後端部１２Ｅ近くにおける当接部を、前側竿管１２の継合部１２Ｔ外周に、全周又は部分的に、その縦断面形状を、外方向に凸な滑らかな曲面状に形成すれば、継合状態の信頼性も高くなる他、後側竿管の継合部１０Ｔ内面にも傷が付き難くなる。
【００１３】
以上の説明は並継式継合構造であったが、逆並継式の場合にも応用できる。例えば、図１の右側を釣竿の前側とすれば、以上の説明は、逆並継式の場合となる。また、上記例では、雄雌共に中空管部材であるが、所謂、ソリッド材を使用することもできる。特に、雄側竿杆はソリッド材でもよい。雌側竿杆も継合部のみを管状に成形すればソリッド材を使用できる。
各所において述べた各事項は、特に矛盾の無い限りは、夫々、任意に組み合わせることができる。
【００１４】
【発明の効果】
以上の説明から明らかなように本発明によれば、継ぎ合わせを確実にして継合状態の信頼性を向上させると共に、雄側竿杆継合部表面の傷付きを極力防止できる。
【図面の簡単な説明】
【図１】図１は本発明に係る釣竿の継合部を継ぎ合わせ最中の縦断面図である。
【図２】図２は継合を完了した継合領域の拡大図である。
【図３】図３は継合部の前側部分の拡大図である。
【図４】図４は前側当接部近傍の拡大図である。
【図５】図５は後側当接部位の変形例を示す図である。
【符号の説明】
１０                後側竿管（雌側竿杆）
１０Ｔ              継合部
１２                前側竿管（雄側竿杆）
１２Ｔ              継合部
Ｐ１                前側当接部
Ｐ２                後側当接部
【図１】
2004254546.tif 000003
【図２】
2004254546.tif 000004
【図３】
2004254546.tif 000005
【図４】
2004254546.tif 000006
【図５】
2004254546.tif 000007